(57)【特許請求の範囲】
【請求項１】
被検者の身体を撮影する対象撮影装置であって、
カメラを含むヘッド部と、
前記ヘッド部と結合されて長さ方向に延びており、前記ヘッド部の形成位置から前記長さ方向の延長線上に形成された前記カメラの操作のための第１のボタン、及び前記第１のボタンの反対面に形成された前記カメラの操作のための第２のボタンを備える連結部と、
前記連結部と結合されており、前記カメラに電源を供給する電源手段、及び前記カメラの状態または電源状態を表示する表示手段を備える本体部と、を含み、
前記対象撮影装置は、前記第１のボタンと前記第２のボタンの選択的に動作する何れか１つの動作に応じてカメラに写真撮影を指示する第１カメラの制御命令を発生させ、前記第１のボタンと前記第２のボタンの同時動作に応じて第２のカメラ制御命令を発生させ、前記第１のボタンと前記第２のボタンの順次動作に応じて第３のカメラ制御命令を発生させ、
前記カメラの操作のためのボタンは、前記第１のボタン及び前記第２のボタンのみであることを特徴とする、上下ボタンを備えた対象撮影装置。
【請求項２】
前記第２のカメラ制御命令は、カメラの電源をオン／オフする命令とすることを特徴とする、請求項１に記載の上下ボタンを備えた対象撮影装置。
【請求項３】
前記第３のカメラ制御命令は、前記カメラをズームインまたはズームアウトする制御命令であることを特徴とする、請求項１に記載の上下ボタンを備えた対象撮影装置。
【請求項４】
前記カメラから得られた画像を少なくとも１つの本体に送信するための通信部をさらに含み、
前記表示手段は、前記通信部と前記本体との間のチャンネル連結状態を識別するための情報を表示することを特徴とする、請求項１に記載の上下ボタンを備えた対象撮影装置。
【請求項５】
前記通信部は、前記連結部内に形成され、且つ前記第１または第２のボタンより前記ヘッド部に近く形成されることを特徴とする、請求項４に記載の上下ボタンを備えた対象撮影装置。
【請求項６】
前記表示手段は、複数の色を表示するための発光手段を含み、前記発光手段の組み合わせにより、前記チャンネル連結状態を識別するための情報を表示することを特徴とする、請求項４に記載の上下ボタンを備えた対象撮影装置。
【請求項７】
前記電源手段は充放電電池で構成されており、
前記表示手段は、前記充放電電池の充電または放電状態を表示することを特徴とする、請求項１に記載の上下ボタンを備えた対象撮影装置。
【請求項８】
前記電源手段は、外部電源から電力の供給を受け、
前記表示手段は、前記外部電源の電力供給状態を表示することを特徴とする、請求項１に記載の上下ボタンを備えた対象撮影装置。
【請求項９】
カメラの形成位置から長さ方向の延長線上に形成された前記カメラの操作のための第１のボタン、及び前記第１のボタンの反対面に形成された前記カメラの操作のための第２のボタンを含む対象撮影装置を用いて被検者の身体を撮影する作動方法であって、
前記対象撮影装置が前記第１のボタンまたは前記第２のボタンにより、前記カメラの電源印加命令を取得するステップと、
前記対象撮影装置が前記第１のボタンまたは前記第２のボタンにより、前記カメラの制御命令を取得するステップと、
前記対象撮影装置が前記制御命令に応じたカメラの動作により得られた画像を前記対象撮影装置から本体に送信するステップと、を含み、
前記対象撮影装置は、前記第１のボタンと前記第２のボタンの選択的に動作する何れか１つの動作に応じてカメラに写真撮影を指示する第１カメラの制御命令を発生させ、前記第１のボタンと前記第２のボタンの同時動作に応じて第２のカメラ制御命令を発生させ、前記第１のボタンと前記第２のボタンの順次動作に応じて第３のカメラ制御命令を発生させ、
前記カメラの操作のためのボタンは、前記第１のボタン及び前記第２のボタンのみであることを特徴とする、上下ボタンを備えた対象撮影装置の作動方法。
【請求項１０】
前記第２のカメラ制御命令は、カメラの電源をオン／オフする命令とすることを特徴とする、請求項９に記載の上下ボタンを備えた対象撮影装置の作動方法。
【請求項１１】
前記第３のカメラ制御命令は、前記カメラをズームインまたはズームアウトする制御命令であることを特徴とする、請求項９に記載の上下ボタンを備えた対象撮影装置の作動方法。
【請求項１２】
前記第１のボタンまたは前記第２のボタンの動作に応じた制御命令を識別して表示するステップをさらに含むことを特徴とする、請求項９に記載の上下ボタンを備えた対象撮影装置の作動方法。
【請求項１３】
前記表示するステップでは、
前記カメラの電源状態を表示することを特徴とする、請求項１２に記載の上下ボタンを備えた対象撮影装置の作動方法。
【請求項１４】
前記表示するステップでは、
複数の本体のうち、前記送信するステップで前記画像を送信するための前記本体のチャンネル連結状態を識別するための情報を表示することを特徴とする、請求項１２に記載の上下ボタンを備えた対象撮影装置の作動方法。
【発明の詳細な説明】
【技術分野】
【０００１】
本発明は、対象撮影装置及び方法に関する。
【背景技術】
【０００２】
従来は、歯科治療のために、先端部に鏡が取り付けられた器具を口腔内に挿入し、それに反射された歯牙の状態を医師が確認して、治療すべきか否かの治療方法を決定していた。
【０００３】
このような鏡を用いた診療の場合、患者が自分の歯牙状態を自ら確認することができないという問題があり、医師は反射により歯牙の状態を目視で確認するため、高精度の診断が相対的に難しいという問題があった。
【０００４】
従来、カメラ技術の発達により、小型化したカメラによって直接撮影された画像を医師と患者が確認して診療する方法が考案されている。
【０００５】
しかし、カメラを用いた診断器具は、歯科用チェアに設けられる本体と無線または有線通信により画像を伝達しなければならないが、有線連結方式の場合、本体毎に診断器具が備えられていなければならず、通信のための通信線と電源線が備えられていなければならないため、追加構成による不便さがあった。
【０００６】
このようなことから考案された無線連結方式の場合、複数のチェアと通信干渉が発生し得るため、チャンネルを区分する必要があり、診断器具によって本体との連結状態を区分することで、患者を識別する必要がある。
【０００７】
また、従来のカメラを用いた診断器具は、撮影のためのボタンが一方にのみ形成されているため、上顎と下顎に位置する歯牙の状態を交互に見るためには、医師が自分の腕を回して撮影しなければならず、姿勢が不便になるという問題があった。
【発明の概要】
【発明が解決しようとする課題】
【０００８】
上記の技術的課題を解決するために、本発明の目的は、上顎と下顎に位置する歯牙の状態を交互に見るために、より容易なインタフェースを提供するための診断器具の構成を提案することにある。
【０００９】
また、本発明の目的は、本発明のインタフェースを用いて様々な診断器具の操作が可能であるようにし、これによる操作状態及び診断器具の状態を、ユーザが容易に認知できるようにする構成を提案することにある。
【００１０】
また、本発明の目的は、無線通信方式において、本体との通信チャンネルを識別するための情報及び途切れのない通信状態を提供するための構成を提案することにある。
【課題を解決するための手段】
【００１１】
上記の技術的課題を解決するための上下ボタンを備えた対象撮影装置は、カメラを含むヘッド部と、前記ヘッド部と結合されて長さ方向に延びており、前記ヘッド部の形成位置から前記長さ方向の延長線上に形成された前記カメラの操作のための第１のボタン、及び前記第１のボタンの反対面に形成された前記カメラの操作のための第２のボタンを備える連結部と、前記連結部と結合されており、前記カメラに電源を供給する電源手段、及び前記カメラの状態または電源状態を表示する表示手段を備える本体部と、を含む。
【００１２】
前記第１のボタン及び前記第２のボタンは選択的に動作し、前記第１のボタン及び前記第２のボタンの何れか１つの動作に応じた第１のカメラ制御命令を発生させることが好ましい。
【００１３】
前記第１のボタン及び前記第２のボタンは独立して動作し、前記第１のボタン及び前記第２のボタンの同時動作に応じた第２のカメラ制御命令を発生させることが好ましい。
【００１４】
前記第１のボタン及び前記第２のボタンは独立して動作し、前記第１のボタン及び前記第２のボタンの順次動作に応じた第３のカメラ制御命令を発生させることが好ましい。
【００１５】
前記対象撮影装置は、前記カメラから得られた画像を少なくとも１つの本体に送信するための通信部をさらに含み、前記表示手段は、前記通信部と前記本体との間のチャンネル連結状態を識別するための情報を表示することが好ましい。
【００１６】
前記通信部は、前記連結部内に形成され、且つ前記第１または第２のボタンより前記ヘッド部に近く形成されることが好ましい。
【００１７】
前記表示手段は、複数の色を表示するための発光手段を含み、前記発光手段の組み合わせにより、前記チャンネル連結状態を識別するための情報を表示することが好ましい。
【００１８】
前記電源手段は充放電電池で構成されており、前記表示手段は、前記充放電電池の充電または放電状態を表示することが好ましい。
【００１９】
前記電源手段は、外部電源から電力の供給を受け、前記表示手段は、前記外部電源の電力供給状態を表示することが好ましい。
【００２０】
上記の技術的課題を解決するための上下ボタンを備えた対象撮影装置を用いた撮影方法は、カメラの形成位置から長さ方向の延長線上に形成された前記カメラの操作のための第１のボタン、または前記第１のボタンの反対面に形成された前記カメラの操作のための第２のボタンの少なくとも１つの動作により、前記カメラの電源印加命令の入力を受けるステップと、前記第１のボタンまたは前記第２のボタンの動作により、前記カメラの制御命令の入力を受けるステップと、前記制御命令に応じたカメラの動作により得られた画像を本体に送信するステップと、を含む。
【００２１】
前記第１のボタン及び前記第２のボタンは選択的に動作し、前記第１のボタン及び前記第２のボタンの何れか１つの動作に応じた第１のカメラ制御命令の入力を受けることが好ましい。
【００２２】
前記第１のボタン及び前記第２のボタンは独立して動作し、前記第１のボタン及び前記第２のボタンの同時動作に応じた第２のカメラ制御命令の入力を受けることが好ましい。
【００２３】
前記第１のボタン及び前記第２のボタンは独立して動作し、前記第１のボタン及び前記第２のボタンの順次動作に応じた第３のカメラ制御命令を発生させることが好ましい。
【００２４】
前記対象撮影装置を用いた撮影方法は、前記第１のボタンまたは前記第２のボタンの動作に応じた制御命令を識別して表示するステップをさらに含む。
【００２５】
前記表示するステップでは、前記カメラの電源状態を表示することが好ましい。
【００２６】
前記表示するステップでは、複数の本体のうち、前記送信するステップで前記画像を送信するための前記本体のチャンネル連結状態を識別するための情報を表示することが好ましい。
【発明の効果】
【００２７】
本発明によると、撮影装置の両面に位置するボタンを用いて上顎と下顎に位置する歯牙の状態を容易に撮影することができ、ボタンの組み合わせにより、様々な制御命令の入力が可能である。また、撮影装置の撮影状態、電源状態などが確認可能な表示部を用いて、ユーザが装置の状態を容易に確認することができる。
【００２８】
さらに、無線通信方式によって複数の本体と選別的に連結するためのチャンネルを区分し、区分されたチャンネルを識別するための情報を表示部に表示することで、ユーザが現在連結されている本体がどれであるかを識別することができる。
【００２９】
また、本体と通信するための通信部を開放された位置に形成することで、装置の使用中に通信状態が低下することを防止することができる。
【図面の簡単な説明】
【００３０】
【図１】本発明の一実施形態による上下ボタンを備えた対象撮影装置を示した図である。
【図２】本発明の一実施形態による上下ボタンを備えた対象撮影装置を示した図である。
【図３】本発明の一実施形態による上下ボタンを備えた対象撮影装置の置き台を示した図である。
【図４】本発明の一実施形態による上下ボタンを備えた対象撮影装置の本体連結方式を示した図である。
【図５】本発明の一実施形態による上下ボタンを備えた対象撮影装置の本体連結方式を示した図である。
【図６】本発明の一実施形態による上下ボタンを備えた対象撮影装置を用いた撮影方法を示した図である。
【発明を実施するための形態】
【００３１】
以下の内容は、単に本発明の原理を例示する。したがって、当業者は、たとえ本明細書に明確に説明または図示されていないとしても、本発明の原理を具現し、本発明の概念及び範囲に含まれた多様な装置を発明することができる。また、本明細書に挙げられたあらゆる条件付き用語及び実施形態は、原則的に、本発明の概念の理解を助けることだけを意図したものであり、このように特に挙げられた実施形態及び状態に本発明が限定されるものではないと理解されねばならない。
【００３２】
上述の目的、特徴、及び利点は、添付図面についての後述の詳細な説明により明らかになり、これにより、発明が属する技術分野において通常の知識を有する者であれば、本発明の技術的思想を容易に実施することができるであろう。
【００３３】
また、発明を説明するにあたり、係わる公知技術についての具体的な説明が発明の要旨を不明瞭にする可能性があると判断される場合には、その詳細な説明を省略する。以下では、添付図面を参照して本発明の好ましい実施形態について詳細に説明する。
【００３４】
図１は、本発明の一実施形態による上下ボタンを備えた対象撮影装置（以下、対象撮影装置という）１０を示した図である。
【００３５】
図１を参照すると、本実施形態による対象撮影装置１０は、ヘッド部１００と、連結部２００と、本体部３００と、を含む。
【００３６】
ヘッド部１００はカメラを含む。カメラは、患者の歯牙、歯列、歯肉の状態をＣ‐ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）またはＣＣＤ（Ｃｈａｒｇｅ  Ｃｏｕｐｌｅｄ  Ｄｅｖｉｃｅ）カメラの撮影素子を用いて撮影することができる。
【００３７】
また、ヘッド部１００は照明部をさらに含むことができる。照明部は、光が相対的に少ない患者の口腔内をより容易に撮影するために形成されるものであって、本実施形態において照明部はＬＥＤランプとすることができる。
【００３８】
また、本実施形態では、対象として患者の歯牙、歯列、歯肉を例示しているが、被検者の身体の何れの部位であってもよく、それに応じて、カメラの撮影素子と照明部の構成を変更し得ることはいうまでもない。
【００３９】
本実施形態において、連結部２００は、ヘッド部１００と結合されて長さ方向に延びており、前記ヘッド部１００の形成位置から前記長さ方向の延長線上に形成された前記カメラの操作のための第１のボタン２１０と、前記第１のボタン２１０の反対面に形成された前記カメラの操作のための第２のボタン２２０と、を備える。
【００４０】
連結部２００は、その先端がヘッド部１００と結合され、長さ方向に長くなる形状からなる。
【００４１】
連結部２００の断面は、全体的に円形または楕円形に形成されており、ヘッド部１００が結合している方向においてヘッド部１００の中心部を基準として長さ方向の延長線上の末端に第１のボタン２１０が形成されることができる。
【００４２】
ユーザは、後述の本体部３００を手のひらで包み込みながら、親指を第１のボタン２１０に位置させることにより、対象撮影装置１０を把持することができる。
【００４３】
これにより、ユーザはヘッド部を患者の口腔内に入れ、第１のボタン２１０を押すことで写真を撮影することができる。
【００４４】
また、図２は図１による対象撮影装置１０の背面を示した図であって、図２を参照すると、上述の第１のボタン２１０が形成された面と反対の面に第２のボタン２２０が形成されることができる。
【００４５】
したがって、ユーザは、親指は第１のボタン２１０に位置させ、人差し指は第２のボタン２２０に位置させることにより、対象撮影装置１０を把持することができる。
【００４６】
これにより、ユーザは、ヘッド部１００を患者の口腔内に入れ、第２のボタン２２０を押すことで写真を撮影することもできる。
【００４７】
上述によると、第１のボタン２１０と第２のボタン２２０は、連結部２００の断面を基準として互いに反対方向に向って形成される。
【００４８】
第２のボタン２２０を用いると、ユーザは、患者の上顎を撮影している途中に下顎を撮影する際にも、腕を回す必要がなく、装置を回して親指を用いて撮影することが可能である。
【００４９】
本実施形態において、第１のボタン２１０及び前記第２のボタン２２０は選択的に動作し、前記第１のボタン２１０及び前記第２のボタン２２０の何れか１つの動作に応じた第１のカメラ制御命令を発生させることが可能である。
【００５０】
したがって、この時の第１のカメラ制御命令は写真撮影を指示する命令とすることができる。
【００５１】
また、本実施形態において、第１のボタン２１０と第２のボタン２２０は、ユーザの親指と人差し指のそれぞれに同時に位置することができるため、前記第１のボタン２１０及び前記第２のボタン２２０の同時動作に応じた第２のカメラ制御命令を発生させることも可能である。
【００５２】
この時の第２のカメラ制御命令は、カメラの電源をオン／オフする命令とすることができる。
【００５３】
また、同時動作に加えて、押す時間情報をさらに用いて命令を細分化することも可能である。
【００５４】
例えば、カメラがオフとなっている状態で、ボタンを３秒間同時に押す場合、カメラをオンにする第２のカメラ制御命令を発生させることができる。
【００５５】
また、カメラがオンとなっている状態で、ボタンを同時に押す場合には、カメラをオフとする第２のカメラ制御命令を発生させることができる。
【００５６】
さらに、ボタンの同時動作の他に、前記第１のボタン２１０及び前記第２のボタン２２０の順次動作に応じた第３のカメラ制御命令を発生させることも可能である。
【００５７】
例えば、第１のボタン２１０を押し、所定時間内に第２のボタン２２０を押す場合にはカメラがズームイン（ｚｏｏｍ  ｉｎ）するように設定し、これにより、カメラがズームインする第３のカメラ制御命令を発生させることができる。
【００５８】
逆に、第２のボタン２２０を押し、所定時間内に第１のボタン２１０を押す場合にはカメラがズームアウト（ｚｏｏｍ  ｏｕｔ）するように設定し、カメラがズームアウトする第３のカメラ制御命令を発生させることができる。
【００５９】
すなわち、本実施形態では、連結部２００の両面に位置するボタンを用いて、ユーザが腕を回すことなく様々な対象を撮影できるようにし、ボタンの動作に時間変数を追加して様々な命令を発生させることができるようにする。
【００６０】
次に、本実施形態において、本体部３００は、連結部２００と結合されており、前記カメラに電源を供給する電源手段（不図示）と、前記カメラの状態または前記電源状態を表示する表示手段３１０と、を備えることができる。
【００６１】
図１または図２を参照すると、本実施形態において本体部３００は、連結部２００に結合されて対象撮影装置１０の後端を構成する。
【００６２】
本体部３００は、ユーザが把持できるように、連結部２００より幅が厚く構成されることができ、内部に電源手段を備えることができる。
【００６３】
具体的に、本実施形態による対象撮影装置１０が有線で連結される場合には、電源手段として、カメラ及びその他のモジュールに電源を供給するための電線及び制御のための回路構成が含まれることができる。
【００６４】
また、対象撮影装置１０が無線で連結される場合には、電源手段として電池が装着されることができる。この際、電池は、本体部３００の後端部に形成された電源連結端子３２０を介して充電されることができる。
【００６５】
本実施形態において表示手段３１０は、ＲＧＢ  ＬＥＤで構成されて様々な色を表示することができ、これにより、ユーザに多くの情報を提供することができる。
【００６６】
表示手段３１０が表示する情報は、電源のオン／オフ状態とすることができる。
【００６７】
また、対象撮影装置１０が無線で動作する場合には、内部の電池の残量情報を表示することができ、電池の残量が所定程度以下になった場合には、充電が必要であることを表示することもできる。
【００６８】
また、上述のヘッド部１００に形成された照明部とともに動作して、追加的な情報を提供することも可能である。
【００６９】
例えば、カメラの電源が入った際に、表示手段３１０と照明部がともに動作してユーザに対象撮影装置１０がオンになることを知らせることができる。
【００７０】
図１及び図２には示していないが、本実施形態による対象撮影装置１０は、内部に通信部（不図示）をさらに含むことができる。
【００７１】
本実施形態において対象撮影装置１０は、カメラから得られた画像を少なくとも１つの本体２０に送信するための通信部を含む。
【００７２】
すなわち、ユーザまたは患者は、カメラにより撮影された画像から自分の歯牙の状態を確認して治療方法や処方の必要性を認識するため、モニターなどのディスプレイ装置が含まれた本体２０に画像を送信しなければならない。
【００７３】
通信部は、このような画像の本体への送信を行う。また、ユーザが設定した情報などを本体２０から対象撮影装置１０に送信することも可能である。
【００７４】
以下、図４及び図５を参照して、本実施形態による対象撮影装置１０の本体２０との連結方式について説明する。
【００７５】
先ず、図４は有線連結方式を示した図である。
【００７６】
図４を参照すると、本実施形態による対象撮影装置１０ａ、１０ｂ、１０ｃ、１０ｄは、それぞれの本体２０ａ、２０ｂ、２０ｃ、２０ｄと直接連結されており、連結線を用いて電源の供給を受け、本体２０との情報の送受信を行う。
【００７７】
受信された情報はサーバ３０で収集され、医師は収集された情報を用いて患者の個人毎の治療情報を格納及び管理する。
【００７８】
この際、対象撮影装置１０は本体２０を介して電源の供給を受けるため、別の電池が不要である。
【００７９】
また、図４では、本体毎に対象撮影装置１０が備えられていると例示しているが、対象撮影装置１０を、連結線及び図１による電源連結端子３２０を用いて着脱可能に構成し、ユーザは、１つの対象撮影装置１０を、使用する複数の本体と連結された連結線に結合して用いるようにしてもよい。
【００８０】
さらに、本体毎に個別設定値を有することができ、この際、対象撮影装置１０は、連結線と連結されると同時に個別設定値を読み取り、設定値に応じて撮影を行うことができる。
【００８１】
この際、個別設定値は、カメラの焦点情報、明度情報、照度情報などのカメラ関連設定値とすることができ、撮影された画像の解像度情報などを含むことができる。
【００８２】
次に、図５は、無線通信方式により対象撮影装置１０と本体２０が連結されることを示す。
【００８３】
図５を参照すると、複数の本体２０ａ、２０ｂ、２０ｃ、２０ｄに受信機２５ａ、２５ｂ、２５ｃ、２５ｄを設置または連結することで、対象撮影装置１０ａ、１０ｂとの無線通信を可能とすることができる。
【００８４】
これによると、対象撮影装置１０により得られた画像情報が無線で本体２０に送信されるため、通信部は無線通信モジュールで構成されることができる。
【００８５】
無線通信を介して受信された情報はサーバ３０で収集され、医師は収集された情報を用いて患者の個人毎の治療情報を格納及び管理する。
【００８６】
この際、無線通信方法としては、ＵＷＢ（Ｕｌｔｒａ  Ｗｉｄｅ  ｂａｎｄ）、Ｗｉｆｉ、Ｗｉｄｉ（Ｗｉｆｉ  Ｄｉｒｅｃｔ）を用いることができる。
【００８７】
ＵＷＢ方式のうち、１つの対象撮影装置１０のみを用いる環境では、１つの受信機を、複数の本体のうち使用する本体に着脱して用いることが容易である。
【００８８】
また、複数の対象撮影装置１０ａ、１０ｂを用いる環境では、複数の受信機２５ａ、２５ｂ、２５ｃ、２５ｄをグループ内の本体２０ａ、２０ｂ、２０ｃ、２０ｄに取り付けて用いることができ、他のグループの間のチャンネルを異なるように設定することで、干渉の発生を防止することが好ましい。
【００８９】
すなわち、無線通信方式の場合、複数の本体が存在する環境下で、複数のユーザが複数の対象撮影装置１０を同時に用いる場合、相互干渉が発生し得る。
【００９０】
例えば、複数の医師が同時に診療を行う際には、対象撮影装置１０と本体２０との間の連結を識別する必要がある。したがって、このような場合、本体をグループ化し、グループ毎にチャンネル１５ａ、１５ｂを設定することで、他の対象撮影装置１０に画像が送信されるなどの問題を防止することができる。
【００９１】
この際、上述の表示手段３１０は、前記通信部と前記本体との間のチャンネル連結状態を識別するための情報を表示することができる。
【００９２】
具体的に、第１のグループに属する本体２０ａ、２０ｂと連結される対象撮影装置１０は、表示手段３１０の赤色ＬＥＤが発光するように設定し、第２のグループに属する本体２０ｃ、２０ｄと連結される対象撮影装置１０は、表示手段３１０の青色ＬＥＤが発光するように設定することができる。
【００９３】
また、Ｗｉｆｉを用いて無線環境を構築する場合には、本体の数にかかわらず、該当Ｗｉｆｉの無線ＬＡＮネットワークに接続することで通信可能であり、この時には、本体毎に設定されたそれぞれの識別アドレスを用いて対象撮影装置１０が通信することができる。
【００９４】
さらに、Ｗｉｆｉ環境で、それぞれの本体毎に無線アダプタ（Ｄｏｎｇｌｅ）を連結させ、Ｗｉｄｉを介して通信するようにすることも可能である。
【００９５】
以上の無線通信環境において、本実施形態による通信部は、その形成位置が重要である。
【００９６】
本実施形態による通信部は、前記第１または第２のボタン２１０、２２０に比べて、ヘッド部１００に近く形成されることができる。
【００９７】
すなわち、第１のボタン２１０及び第２のボタン２２０の形成位置より、通信部の形成位置がヘッド部１００に近いことが好ましい。
【００９８】
上述の説明によると、ユーザは、本体部３００を手のひらで包み込み、連結部２００のボタン形成位置に指を位置させるため、通信部がボタン形成位置よりもヘッド部１００から遠く形成される場合や、本体部３００内に形成される場合には、通信部がユーザの手により覆われる恐れがある。
【００９９】
具体的に、ユーザの把持形態によっては、通信部のアンテナを包むことになり、この場合、通信性能の低下が発生し得る。
【０１００】
したがって、本実施形態では、通信部を、ボタンの形成位置よりヘッド部１００の方に近づけて形成することで、ユーザの手によって覆われることを防止する。
【０１０１】
但し、ヘッド部１００に近接して通信部が形成される場合には、口腔検診の特性上、ヘッド部１００とともに通信部が人の口腔内に入ることになるため、ボタンの形成位置に近接して形成されることが好ましい。
【０１０２】
すなわち、連結部２００を基準として、最後端に形成されたボタン２１０、２２０の真上部の内部に通信部が構成されることができる。
【０１０３】
図３を参照すると、上述の無線方式において、対象撮影装置１０は充電のための置き台４００をさらに含むことができる。
【０１０４】
置き台４００は、対象撮影装置１０が載置される載置部４１０、４１０’と、表示部４２０としての発光素子と、を含むことができ、表示部４２０は対象撮影装置１０の充電状態を表示することができる。
【０１０５】
例えば、表示部４２０は、未充電時には消灯し、充電中には赤色ＬＥＤを点灯、充電完了時には緑色ＬＥＤを点灯、動作に問題がある場合には赤色ＬＥＤを時間間隔を置いて点滅することができる。
【０１０６】
以下、本実施形態による対象撮影装置１０の動作方法について説明する。
【０１０７】
図６を参照すると、先ず、カメラの形成位置から長さ方向の延長線上に形成された前記カメラの操作のための第１のボタン２１０、または前記第１のボタン２１０の反対面に形成される前記カメラの操作のための第２のボタン２２０の少なくとも１つの動作によって、前記カメラの電源印加命令の入力を受ける（Ｓ１００）。
【０１０８】
本実施形態において、電源印加命令は、第１のボタン２１０と第２のボタン２２０の同時動作に応じて発生することができる。
【０１０９】
これによってカメラの電源がオンになると、前記第１のボタン２１０または前記第２のボタン２２０の動作によって、前記カメラの制御命令の入力を受ける。
【０１１０】
具体的に、制御命令の入力は、第１または第２のボタン２１０、２２０の動作有無を独立して確認し（Ｓ２００）、確認された動作有無に応じて、上述の第１〜第３のカメラ制御命令の１つを識別する（Ｓ３００）。
【０１１１】
識別されたカメラ制御命令はカメラに伝達され（Ｓ４００）、カメラは画像を制御命令に応じて獲得する。
【０１１２】
得られた画像は、有線または無線通信チャンネルを介して本体に送信される（Ｓ５００）。
【０１１３】
さらに、示していないが、それぞれのステップによる対象撮影装置１０の状態をユーザに表示することができる。
【０１１４】
その表示方法は、下記の表１のように定義することができる。
【０１１５】
0006675348.tif 000002
【０１１６】
上述の発明によると、ボタンの組み合わせにより、様々な制御命令の入力が可能である。また、撮影装置の撮影状態、電源状態などが確認できる表示部を用いて、ユーザが装置の状態を容易に確認することができる。
【０１１７】
さらに、無線通信方式を介して複数の本体と選別的に連結するためのチャンネルを区分し、区分されたチャンネルを識別するための情報を表示部に表示させることで、ユーザが現在連結されている本体がどれであるかを識別することができる。
【０１１８】
上述の説明は、本発明の技術思想を例示的に説明したものに過ぎず、本発明が属する技術分野において通常の知識を有する者であれば、本発明の本質的な特性を外れない範囲内で、様々な修正、変更及び置換が可能である。
【０１１９】
したがって、本発明に開示された実施形態及び添付図面は、本発明の技術思想を限定するためのものではなく、本発明を説明するためのものであって、このような実施形態及び添付図面によって本発明の技術思想の範囲が限定されるものではない。本発明の保護範囲は、添付の請求範囲によって解釈されるべきであり、それと同等の範囲内の全ての技術思想は、本発明の権利範囲に含まれると解釈されるべきである。
【図１】
0006675348.tif 000003
【図２】
0006675348.tif 000004
【図３】
0006675348.tif 000005
【図４】
0006675348.tif 000006
【図５】
0006675348.tif 000007
【図６】
0006675348.tif 000008